(57)【要約】サウンドマスキングシステムは、約１２５Ｈｚ等の低周波数までの周波数範囲を提供するために十分な、ドライバおよび拡大ポート付エンクロージャを伴う、自己増幅式ラウドスピーカエミッタユニットを含む。電力を送達するために、電力分配アーキテクチャは、オーディオ電力増幅器を各ラウドスピーカのエミッタ筐体内に含む。原始電力は、サウンドマスキング信号およびオーディオ信号と同一ケーブル内において、イーサネットケーブルおよびコネクタ等のケーブルおよびコネクタを通して各エミッタユニットに送達される。エミッタユニットの内側には、ラウドスピーカを直接駆動するために原始電力および低レベル信号を効率的に変換する電子機器がある。
2019522825.tif 000002
【特許請求の範囲】
【請求項１】
直接経路サウンドマスキング信号を建物の所定の区域内の聴取者の耳に提供するためのダイレクトフィールドサウンドマスキングシステムであって、前記所定の区域は、天井および床を含み、前記システムは、
複数のラウドスピーカアセンブリであって、各ラウドスピーカアセンブリは、電気サウンド信号の１つまたは複数の源に結合され、前記複数のラウドスピーカアセンブリはそれぞれ、前記電気サウンド信号に対応する音響サウンド信号を放出するように動作するオーディオエミッタに結合されたボイスコイルを有し、各前記オーディオエミッタは、円錐エミッタであり、前記複数のラウドスピーカアセンブリはそれぞれ、低指向係数を有し、前記複数のラウドスピーカアセンブリはそれぞれ、直接経路内において前記音響サウンド信号を前記所定の区域内の前記聴取者の耳に提供するように構築および配向される、ラウドスピーカアセンブリと、
前記複数のラウドスピーカアセンブリの各ラウドスピーカアセンブリのラウドスピーカエンクロージャ内のオーディオ電力増幅器と
を備える、ダイレクトフィールドサウンドマスキングシステム。
【請求項２】
前記電気サウンド信号は、サウンドマスキング信号、音楽信号、およびページング信号のうちの少なくとも１つを含む、請求項１に記載のダイレクトフィールドサウンドマスキングシステム。
【請求項３】
前記複数のラウドスピーカアセンブリは、複数の複数導体配線ケーブルを介して相互接続され、前記複数の複数導体配線ケーブルの各複数導体配線ケーブルは、少なくとも１つの原始電力導体および少なくとも１つの電気サウンド信号導体を備える、請求項１または２に記載のダイレクトフィールドサウンドマスキングシステム。
【請求項４】
前記複数導体配線ケーブルは、少なくとも４対の導体を備える、請求項３に記載のダイレクトフィールドサウンドマスキングシステム。
【請求項５】
前記複数導体配線ケーブルは、４つの電気サウンド信号導体、２つの原始電力導体、および２つの共通接地導体を備える、請求項４に記載のダイレクトフィールドサウンドマスキングシステム。
【請求項６】
前記複数のラウドスピーカアセンブリにおいて、それぞれ、低指向係数を有し、各前記オーディオエミッタは、３．０インチの直径を有する円形の面積未満またはそれと等しい有効開口面積を有する、請求項１から５のいずれか１項に記載のダイレクトフィールドサウンドマスキングシステム。
【請求項７】
前記複数のラウドスピーカアセンブリにおいて、それぞれ、低指向係数を有し、各前記オーディオエミッタは、１．５インチの直径を有する円形の面積未満またはそれと等しい有効開口面積を有する、請求項１から５のいずれか１項に記載のダイレクトフィールドサウンドマスキングシステム。
【請求項８】
前記複数のラウドスピーカアセンブリにおいて、それぞれ、低指向係数を有し、各前記オーディオエミッタは、１．２５インチ〜３インチの直径を有する円形の面積と等しい有効開口面積を有する、請求項１から５のいずれか１項に記載のダイレクトフィールドサウンドマスキングシステム。
【請求項９】
前記複数のラウドスピーカアセンブリの少なくとも１つのラウドスピーカアセンブリは、前記複数の複数導体配線ケーブルの少なくとも１つの複数導体配線ケーブルを介して、電力インジェクタに電気的に結合され、
前記電力インジェクタは、（ｉ）前記電気サウンド信号の１つまたは複数の源を備える制御モジュールと、（ｉｉ）電力供給部とに電気的に接続され、
前記電力インジェクタは、前記少なくとも１つの複数導体配線ケーブルの前記少なくとも１つの原始電力導体上に前記電力供給部から電力を転送し、
前記電力インジェクタは、前記少なくとも１つの複数導体配線ケーブルの前記少なくとも１つの電気サウンド信号導体上に前記電気サウンド信号の前記１つまたは複数の源から前記電気サウンド信号を転送する、請求項３から８のいずれか１項に記載のダイレクトフィールドサウンドマスキングシステム。
【請求項１０】
前記複数のラウドスピーカアセンブリの各ラウドスピーカアセンブリの前記ラウドスピーカエンクロージャは、前記ラウドスピーカアセンブリの開口の外部から前記ラウドスピーカエンクロージャの内部へのポート開口部を備える、請求項１から９のいずれか１項に記載のダイレクトフィールドサウンドマスキングシステム。
【請求項１１】
前記ポート開口部は、約０．３インチ〜約０．５インチの直径および約１．５インチ〜約２．５インチの長さを備える、請求項１０に記載のダイレクトフィールドサウンドマスキングシステム。
【請求項１２】
前記複数のラウドスピーカアセンブリの各ラウドスピーカアセンブリの前記ラウドスピーカエンクロージャは、前記ラウドスピーカの開口面から前記ラウドスピーカの背面まで少なくとも約３．５インチのエンクロージャ長さを備える、請求項１から１１のいずれか１項に記載のダイレクトフィールドサウンドマスキングシステム。
【請求項１３】
前記複数のラウドスピーカアセンブリの各ラウドスピーカアセンブリの前記ラウドスピーカエンクロージャは、前記ラウドスピーカの開口面から前記ラウドスピーカの背面まで少なくとも約４．０インチのエンクロージャ長さを備える、請求項１から１２のいずれか１項に記載のダイレクトフィールドサウンドマスキングシステム。
【請求項１４】
前記音響サウンド信号は、対応するサウンドマスキングスペクトルを含む音響サウンドマスキング信号を含み、前記サウンドマスキングスペクトルは、少なくとも約８０Ｈｚの低端周波数および約５３００Ｈｚ未満の高端周波数を有する、請求項１から１３のいずれか１項に記載のダイレクトフィールドサウンドマスキングシステム。
【請求項１５】
前記サウンドマスキングスペクトルは、前記サウンドマスキングスペクトルの１２５Ｈｚ１／３オクターブ帯域内の少なくとも約４０ｄＢの周波数応答を含む、請求項１４に記載のダイレクトフィールドサウンドマスキングシステム。
【請求項１６】
前記サウンドマスキングスペクトルは、前記サウンドマスキングスペクトルの１２５Ｈｚ１／３オクターブ帯域内の少なくとも約４５ｄＢの周波数応答を含む、請求項１５に記載のダイレクトフィールドサウンドマスキングシステム。
【請求項１７】
前記サウンドマスキングスペクトルは、前記サウンドマスキングスペクトルの約４０００Ｈｚ〜約５０００Ｈｚの範囲内で約２０ｄＢ下回る周波数応答を含む、請求項１から１６のいずれか１項に記載のダイレクトフィールドサウンドマスキングシステム。
【請求項１８】
前記音響サウンド信号は、カバーされる区域内の少なくとも約８０ｄＢＡのページングまたは音楽ラウドネスを含む、請求項１から１７のいずれか１項に記載のダイレクトフィールドサウンドマスキングシステム。
【請求項１９】
前記複数のラウドスピーカアセンブリの各ラウドスピーカアセンブリの前記ラウドスピーカエンクロージャ内の前記オーディオ電力増幅器に給電する電圧調整器をさらに備える、請求項１から１８のいずれか１項に記載のダイレクトフィールドサウンドマスキングシステム。
【請求項２０】
前記複数のラウドスピーカアセンブリはそれぞれ、前記音響サウンド信号を前記建物の前記所定の区域内の少なくとも１つのサウンドマスキングゾーンに提供するように構築および配向される、請求項１から１９のいずれか１項に記載のダイレクトフィールドサウンドマスキングシステム。
【請求項２１】
複数の受動ラウドスピーカアセンブリをさらに備え、各受動ラウドスピーカアセンブリは、電気サウンド信号の前記１つまたは複数の源に結合され、前記複数の受動ラウドスピーカアセンブリはそれぞれ、前記複数の受動ラウドスピーカアセンブリの各受動ラウドスピーカアセンブリのラウドスピーカエンクロージャ内にオーディオ電力増幅器を欠いている、請求項１から２０のいずれか１項に記載のダイレクトフィールドサウンドマスキングシステム。
【請求項２２】
前記複数のラウドスピーカアセンブリの少なくとも１つのラウドスピーカアセンブリは、個々にアドレス指定されるネットワークコネクタをさらに備え、前記個々にアドレス指定されるネットワークコネクタは、前記少なくとも１つのラウドスピーカアセンブリに個々にアドレス指定されるオーディオ信号を個々にアドレス指定されるサウンドマスキングネットワークから受信する、請求項１から２１のいずれか１項に記載のダイレクトフィールドサウンドマスキングシステム。
【請求項２３】
前記個々にアドレス指定されるサウンドマスキングネットワークは、電力および前記個々にアドレス指定されるオーディオ信号の両方を伝導する複数導体配線ケーブルを含む、請求項２２に記載のダイレクトフィールドサウンドマスキングシステム。
【請求項２４】
前記個々にアドレス指定されるサウンドマスキングネットワークに含まれる前記複数導体配線ケーブルは、Ｐｏｗｅｒ  ｏｖｅｒ  Ｅｔｈｅｒｎｅｔケーブルを含む、請求項２３に記載のダイレクトフィールドサウンドマスキングシステム。
【請求項２５】
前記個々にアドレス指定されるサウンドマスキングネットワークは、個々にアドレス指定されるネットワークプロセッサ、個々にアドレス指定されるネットワークラウドスピーカコントローラ、およびネットワークスイッチのうちの少なくとも１つを備える、請求項２２から２４のいずれか１項に記載のダイレクトフィールドサウンドマスキングシステム。
【請求項２６】
前記個々にアドレス指定されるネットワークプロセッサは、サウンドマスキング信号、ページング信号、および音楽信号のうちの少なくとも１つを含む電子信号を放出するように構成されたプロセッサを備える、請求項２５に記載のダイレクトフィールドサウンドマスキングシステム。
【請求項２７】
前記個々にアドレス指定されるサウンドマスキングネットワークは、個々にアドレス指定されるネットワークラウドスピーカコントローラを備え、前記少なくとも１つのラウドスピーカアセンブリは、前記個々にアドレス指定されるネットワークラウドスピーカコントローラから前記少なくとも１つのラウドスピーカアセンブリのボイスコイルへの直接内部ラウドスピーカ接続をさらに備える、請求項２５または２６に記載のダイレクトフィールドサウンドマスキングシステム。
【請求項２８】
前記少なくとも１つのラウドスピーカアセンブリは、（ａ）前記少なくとも１つのラウドスピーカアセンブリに個々にアドレス指定されるオーディオ信号を前記個々にアドレス指定されるサウンドマスキングネットワークから前記個々にアドレス指定されるネットワークコネクタを通して受信するか、または（ｂ）少なくとも１つの複数導体配線ケーブルを介して、電力インジェクタに電気的に結合されるかのいずれかであり、前記電力インジェクタは、（ｉ）前記電気サウンド信号の前記１つまたは複数の源を備える制御モジュールと、（ｉｉ）電力供給部とに電気的に接続される、請求項２２から２７のいずれか１項に記載のダイレクトフィールドサウンドマスキングシステム。
【発明の詳細な説明】
【背景技術】
【０００１】
（関連出願）
本願は、２０１６年５月２０日に出願された米国仮出願第62/339,417号の利益を主張し、その出願の技術全体が、参照によって本明細書に援用される。
【０００２】
（背景）
以前のダイレクトフィールドサウンドマスキングシステムは、単一の、多くの場合、非常に小型のコントローラを使用して、数百ものラウドスピーカエミッタを駆動し、これは、サウンドマスキングを用いて、数千平方フィートをカバーすることができる。そのようなシステムは、例えば、Ｈｏｒｒａｌｌ  ｅｔ  ａｌ．の米国特許第７，１９４，０９４Ｂ２号（本特許の教示は、参照によってその全体が援用される）に教示されるタイプのものであることができる。プレナム内システムの電力およびコストと比較して、ダイレクトフィールドサウンドマスキングのために必要とされる非常に低い電力により、そのようなシステムの前述の品質が可能である。そのようなダイレクトフィールドサウンドマスキングシステムは、容易に利用可能なケーブル類および単純な設置プロセスを使用することができる。
【０００３】
残念ながら、そのような既存のダイレクトフィールドシステムが、複製サウンドシステムを使用することなく実際のページング能力を達成することについて欠点を有するいくつかの状況が存在する。また、低周波数応答が、経済性、サイズ、および電力のために犠牲にされるため、時として、サウンドマスキングスペクトルを（例えば、約２５０Ｈｚを下回る）低周波数まで拡張することが不可能である。
【０００４】
より大きな音でのページングおよびより低い周波数は、各エミッタにおいてより多くの電力を要求し、これは、既存のダイレクトフィールドシステムのアーキテクチャに準拠しない。所望の理想的ページングレベルは、既存のシステムによって達成されるレベルの約１００倍、または１００倍の電力を要求する。これは、既存のダイレクトフィールドシステムと完全に異なるシステムを要求する。これらの電力レベルのための中央コントローラ内で要求される電力は、数百ワットであり、単純に、効率的またはコスト効果的解決策ではない。
【先行技術文献】
【特許文献】
【０００５】
【特許文献１】米国特許第７，１９４，０９４号明細書
【発明の概要】
【課題を解決するための手段】
【０００６】
（概要）
本発明の実施形態によると、約１２５Ｈｚ等の低周波数までの周波数範囲を提供するために十分な、ドライバおよび拡大ポート付エンクロージャを伴う、自己増幅されたラウドスピーカエミッタユニットを含むサウンドマスキングシステムが、提供される。電力を送達するために、電力分配アーキテクチャは、オーディオ電力増幅器を各ラウドスピーカのエミッタ筐体内に含む。原始電力は、サウンドマスキング信号およびオーディオ信号と同一ケーブル内で、イーサネット（登録商標）ケーブルおよびコネクタ等のケーブルおよびコネクタを通して、各エミッタユニットに送達される。エミッタユニットの内側には、ラウドスピーカを直接駆動するために原始電力および低レベル信号を効率的に変換する電子機器がある。電力は、典型的デスクトップ電力供給部から生じ、そこから、電力は、電力インジェクタユニットを使用して、サウンドマスキング信号およびオーディオ信号と組み合わせられ、電力インジェクタユニットは、組み合わせられた電力および信号をラウドスピーカに分配する。
【０００７】
本発明の一実施形態では、直接経路サウンドマスキング信号を建物の所定の区域内の聴取者の耳に提供するためのダイレクトフィールドサウンドマスキングシステムが、提供され、該所定の区域は、天井および床を含む。本システムは、複数のラウドスピーカアセンブリを備え、各ラウドスピーカアセンブリは、電気サウンド信号の１つまたは複数の源に結合される。複数のラウドスピーカアセンブリはそれぞれ、該電気サウンド信号に対応する音響サウンド信号を放出するように動作するオーディオエミッタに結合されるボイスコイルを有し、各該オーディオエミッタは、円錐エミッタであり、複数のラウドスピーカアセンブリはそれぞれ、低指向係数を有し、複数のラウドスピーカアセンブリはそれぞれ、直接経路内において音響サウンド信号を該所定の区域内の聴取者の耳に提供するように構築および配向される。複数のラウドスピーカアセンブリの各ラウドスピーカアセンブリのラウドスピーカエンクロージャ内にオーディオ電力増幅器が、存在する。
【０００８】
さらに関連実施形態では、電気サウンド信号は、サウンドマスキング信号、音楽信号、およびページング信号のうちの少なくとも１つを含むことができる。複数のラウドスピーカアセンブリは、複数の複数導体配線ケーブルを介して相互接続されることができ、複数の複数導体配線ケーブルの各複数導体配線ケーブルは、少なくとも１つの原始電力導体および少なくとも１つの電気サウンド信号導体を備える。複数の複数導体配線ケーブルの各複数導体配線ケーブルは、迅速接続／接続解除コネクタを伴って両端で終端されることができ、該迅速接続／接続解除コネクタは、該ラウドスピーカアセンブリ上の一体型入力および出力ジャックに対応する。迅速接続／接続解除コネクタは、例えば、ＴＩＡ／ＥＩＡ−ＩＳ−９６８−Ａ  Ｒｅｇｉｓｔｅｒｅｄ  Ｊａｃｋ４５（ＲＪ−４５）コネクタであることができる。複数導体配線ケーブルは、少なくとも４対の導体を備えることができる。例えば、複数導体配線ケーブルは、４つの電気サウンド信号導体と、２つの原始電力導体と、２つの共通接地導体とを備えることができる。複数のラウドスピーカアセンブリでは、それぞれ、低指向係数を有し、各該オーディオエミッタは、３．０インチの直径を有する円形の面積未満またはそれと等しい、例えば、１．５インチの直径を有する円形の面積未満またはそれと等しい有効開口面積を有する、特に、１．２５インチ〜３インチの直径の円形の面積と等しい有効開口面積を有することができる。
【０００９】
他の関連実施形態では、複数のラウドスピーカアセンブリの少なくとも１つのラウドスピーカアセンブリは、複数の複数導体配線ケーブルの少なくとも１つの複数導体配線ケーブルを介して、電力インジェクタに電気的に結合されることができる。電力インジェクタは、（ｉ）電気サウンド信号の１つまたは複数の源を備える制御モジュールと、（ｉｉ）電力供給部とに電気的に接続される。電力インジェクタは、少なくとも１つの複数導体配線ケーブルの少なくとも１つの原始電力導体上に電力供給部から電力を転送し、電力インジェクタは、少なくとも１つの複数導体配線ケーブルの少なくとも１つの電気サウンド信号導体上に電気サウンド信号の１つまたは複数の源から電気サウンド信号を転送する。複数のラウドスピーカアセンブリの各ラウドスピーカアセンブリのラウドスピーカエンクロージャは、ラウドスピーカアセンブリの開口の外部からラウドスピーカエンクロージャの内部へのポート開口部を備えることができる。ポート開口部は、例えば、約０．３インチ〜約０．５インチの直径および約１．５インチ〜約２．５インチの長さを備えることができる。複数のラウドスピーカアセンブリの各ラウドスピーカアセンブリのラウドスピーカエンクロージャは、例えば、ラウドスピーカの開口面からラウドスピーカの背面まで少なくとも約３．５インチ、例えば、ラウドスピーカの開口面からラウドスピーカの背面まで少なくとも約４．０インチのエンクロージャ長さを備えることができる。
【００１０】
さらに関連実施形態では、音響サウンド信号は、対応するサウンドマスキングスペクトルを含む音響サウンドマスキング信号を含むことができ、該サウンドマスキングスペクトルは、少なくとも約８０Ｈｚの低端周波数および約５３００Ｈｚ未満の高端周波数を有する。サウンドマスキングスペクトルは、サウンドマスキングスペクトルの１２５Ｈｚ１／３オクターブ帯域内の少なくとも約４０ｄＢ、例えば、サウンドマスキングスペクトルの１２５Ｈｚ１／３オクターブ帯域内の少なくとも約４５ｄＢの周波数応答を含むことができる。さらに、サウンドマスキングスペクトルは、サウンドマスキングスペクトルの約４０００Ｈｚ〜約５０００Ｈｚの範囲内で約２０ｄＢ下回る周波数応答を含むことができる。音響サウンド信号は、カバー区域内の少なくとも約８０ｄＢＡのページングまたは音楽ラウドネスを含むことができる。本システムはさらに、複数のラウドスピーカアセンブリの各ラウドスピーカアセンブリのラウドスピーカエンクロージャ内のオーディオ電力増幅器に給電する電圧調整器を備えることができる。
【００１１】
他の関連実施形態では、複数のラウドスピーカアセンブリはそれぞれ、音響サウンド信号を建物の所定の区域内の少なくとも１つのサウンドマスキングゾーンに提供するように構築および配向されることができる。本システムはさらに、複数の受動ラウドスピーカアセンブリを備えることができ、各受動ラウドスピーカアセンブリは、電気サウンド信号の１つまたは複数の源に結合され、複数の受動ラウドスピーカアセンブリはそれぞれ、複数の受動ラウドスピーカアセンブリの各受動ラウドスピーカアセンブリのラウドスピーカエンクロージャ内にオーディオ電力増幅器を欠いている。
【００１２】
さらに関連実施形態では、複数のラウドスピーカアセンブリの少なくとも１つのラウドスピーカアセンブリはさらに、個々にアドレス指定されるネットワークコネクタを備えることができ、個々にアドレス指定されるネットワークコネクタは、少なくとも１つのラウドスピーカアセンブリに個々にアドレス指定されるオーディオ信号を個々にアドレス指定されるサウンドマスキングネットワークから受信する。個々にアドレス指定されるサウンドマスキングネットワークは、電力および個々にアドレス指定されるオーディオ信号の両方を伝導する複数導体配線ケーブルを含むことができる。個々にアドレス指定されるサウンドマスキングネットワークに含まれる複数導体配線ケーブルは、Ｐｏｗｅｒ  ｏｖｅｒ  Ｅｔｈｅｒｎｅｔ（登録商標）ケーブルを備えることができる。個々にアドレス指定されるサウンドマスキングネットワークは、個々にアドレス指定されるネットワークプロセッサ、個々にアドレス指定されるネットワークラウドスピーカコントローラ、およびネットワークスイッチのうちの少なくとも１つを備えることができる。個々にアドレス指定されるネットワークプロセッサは、サウンドマスキング信号、ページング信号、および音楽信号のうちの少なくとも１つを含む電子信号を放出するように構成されるプロセッサを備えることができる。少なくとも１つのラウドスピーカアセンブリはさらに、個々にアドレス指定されるネットワークラウドスピーカコントローラから少なくとも１つのラウドスピーカアセンブリのボイスコイルへの直接内部ラウドスピーカ接続を備えることができる。少なくとも１つのラウドスピーカアセンブリは、（ａ）少なくとも１つのラウドスピーカアセンブリに個々にアドレス指定されるオーディオ信号を個々にアドレス指定されるサウンドマスキングネットワークから個々にアドレス指定されるネットワークコネクタを通して受信するか、または（ｂ）少なくとも１つの複数導体配線ケーブルを介して、電力インジェクタに電気的に結合されるかのいずれかであることができ、電力インジェクタは、（ｉ）電気サウンド信号の１つまたは複数の源を備える制御モジュールと、（ｉｉ）電力供給部とに電気的に接続される。
【図面の簡単な説明】
【００１３】
前述は、同様の参照文字が異なる図全体を通して同一部分を指す添付の図に図示されるような、例示的実施形態の以下のより詳細な説明から明白となる。図面は、必ずしも、縮尺通りではなく、代わりに、実施形態を図示する際に強調される。
【００１４】
【図１】図１は、本発明の実施形態による、自給式ラウドスピーカを使用したサウンドマスキングの概略図である。
【００１５】
【図２】図２は、本発明の実施形態による、自給式ラウドスピーカの複数ストリングを使用したサウンドマスキングシステムの概略図である。
【００１６】
【図３】図３Ａは、本発明の実施形態による、自給式ラウドスピーカのエンクロージャの正面斜視図であり、図３Ｂは、その背面斜視図であり、図３Ｃは、その正面図である。
【００１７】
【図４】図４は、本発明の実施形態による、複数のゾーンを使用したサウンドマスキングシステムの概略図であり、いくつかのゾーンは、受動ラウドスピーカアセンブリを含み、その他は自給式ラウドスピーカを使用する。
【００１８】
【図５】図５は、本発明の実施形態による、自給式ラウドスピーカと併用され得る、サウンドマスキングスペクトルを示す略図である。
【００１９】
【図６】図６は、本発明の実施形態による、サウンドマスキングシステム内のラウドスピーカアセンブリの概略図である。
【００２０】
【図７】図７は、本発明の実施形態による、自給式ラウドスピーカ内の電気構成要素の概略図である。
【００２１】
【図８】図８Ａは、以前のダイレクトフィールドサウンドマスキングシステム内で使用される複数導体ケーブル内の導体の概略図であり、図８Ｂは、本発明の実施形態による、自給式ラウドスピーカと併用され得る複数導体ケーブル内の導体の概略図である。
【００２２】
【図９】図９は、本発明の実施形態に従って使用され得る、低指向係数ラウドスピーカを図示する概略図である。
【００２３】
【図１０】図１０Ａは、個々にアドレス指定されたネットワークコネクタがラウドスピーカアセンブリのエンクロージャ上に含まれる、本発明の別の実施形態による、自給式ラウドスピーカのエンクロージャの正面斜視図であり、図１０Ｂは、その背面斜視図である。
【００２４】
【図１１】図１１は、個々にアドレス指定されたネットワークコネクタを含む、本発明の実施形態による、サウンドマスキングシステム内のラウドスピーカアセンブリの概略図である。
【００２５】
【図１２】図１２は、本発明の実施形態による、ネットワークアドレス指定可能ラウドスピーカを含む、個々にアドレス指定されたサウンドマスキングネットワークの概略図である。
【００２６】
【図１３】図１３は、本発明の実施形態による、図１２の個々にアドレス指定されたサウンドマスキングネットワークを使用した個々のラウドスピーカアセンブリの個々のアドレス指定を図示する概略図である。
【発明を実施するための形態】
【００２７】
（詳細な説明）
例示的実施形態の説明が、以下に続く。
【００２８】
図１は、本発明の実施形態による、自給式ラウドスピーカ１０２を使用したサウンドマスキングシステム１００の概略図である。サウンドマスキングシステム１００は、ラウドスピーカ１０２の下方において、建物の所定の区域内にサウンドマスキングゾーンを生成するために使用される。ラウドスピーカ１０２は、電気コネクタを介して、電気サウンド信号の１つまたは複数の源１０４に結合され、電気サウンド信号は、サウンドマスキング信号を含み、音楽信号および／またはページング信号も含み得る。ラウドスピーカ１０２は、電気サウンド信号に応答して、音響サウンド信号を放出し、サウンドマスキングシステムのサウンドマスキング機能がアクティブ化されると、音響サウンドマスキング信号を放出する。ラウドスピーカ１０２は、音響サウンド信号をサウンドマスキングゾーンに提供するように構築および配向される。例えば、ラウドスピーカ１０２は、サウンドマスキング信号をサウンドマスキングゾーン内の聴取者の耳に直接伝送するように、懸架された天井から下向きに面して位置付けられ得る。
【００２９】
図１の実施形態によると、サウンドマスキングシステム１００は、自己増幅ラウドスピーカエミッタユニット１０２を含み、自己増幅ラウドスピーカエミッタユニット１０２はそれぞれ、約１２５Ｈｚ等の低周波数までの周波数範囲を提供するために十分である、ドライバおよび拡大ポート付エンクロージャを伴う。電力を送達するために、電力分配アーキテクチャは、オーディオ電力増幅器を各ラウドスピーカ１０２のエミッタ筐体内に含む。原始電力が、サウンドマスキング信号およびオーディオ信号と同一ケーブル１０６内のイーサネットケーブルおよびコネクタ等のケーブル１０６およびコネクタを通して、各エミッタユニットに送達される。エミッタユニット１０２の内側には、ラウドスピーカを直接駆動するために原始電力および低レベル信号を効率的に変換する電子機器がある。電力は、典型的デスクトップ電力供給部１０８から生じ、そこから、電力ケーブル１１０内の電力は、電力インジェクタユニット１１４を使用して、信号ケーブル１１２内のサウンドマスキング信号およびオーディオ信号と組み合わせられ、電力インジェクタユニット１１４は、組み合わせられた電力および信号を組み合わせられた電力／信号ケーブル１０６を通してラウドスピーカ１０２に分配する。
【００３０】
サウンドエミッタユニット１０２によって再生される音は、屋外、オープンプランオフィス等の状況における人間の発話、またはサウンドマスキングが使用され得る多様な他の状況のいずれかにおいてマスキングするために、例えば、（サウンドマスキングスペクトルを使用する）専用サウンドマスキング信号を含むことができる。本システムはまた、ライブまたは記録された人間の発話を含むページングアドレスを放出することができ、音楽を放出することもできる。
【００３１】
図２は、本発明の実施形態による、自給式ラウドスピーカ２０２を使用したサウンドマスキングシステムの概略図である。付加的電力供給部２０８ａ、２０８ｂおよび複数の電力インジェクタユニット２１４ａ、２１４ｂを使用することによって、自給式ラウドスピーカ２０２の複数のストリングが使用され得ることが分かる。一実施形態では、１つの電力供給部２０８ａ／２０８ｂが、合計１８０個までのエミッタ２０２に給電するために使用される。実際、１つのストリング上で可能なエミッタ２０２の数は、例えば、実践上、イーサネットケーブルおよびコネクタの限界に応じて、３０のエミッタに限定され得る。しかしながら、付加的電力供給部２０８ａ／２０８ｂおよび電力インジェクタ２１４ａ／２１４ｂを追加することによって、ラウドスピーカ２０２のストリングは、原理上、無限に続くことができる。システムを設置するために、電力インジェクタ２１４ａ／２１４ｂは、コントローラ２０４のゾーン出力に直接差し込まれ、供給部２０８ａ／２０８ｂからの電力は、２ワイヤケーブルを介して、電力インジェクタ２１４ａ／２１４ｂに接続される。電力インジェクタ２１４ａ／２１４ｂは、例えば、３０のエミッタ等の後の任意のストリングに無限に追加されることができる。他の構成も可能であることを理解されたい。コントローラ上の他のゾーンは、依然として、以下の図４に示されるように、受動エミッタサウンドマスキングゾーンとして使用されることができる。ページングゾーンは、電力インジェクタ２１４ａ／２１４ｂおよび自給式エミッタ２０２を追加することによって、既存の設備に改造されることができる。
【００３２】
図３Ａは、本発明の実施形態による、自給式ラウドスピーカ３０２のエンクロージャの正面斜視図であり、図３Ｂは、その背面斜視図であり、図３Ｃは、その正面図である。エミッタ３０２は、エンクロージャ３１６を使用し、ポート３１８を面上に伴う。これは、例えば、ロングスロー低歪みの１  １／２インチ直径ドライバを有することができる。ラウドスピーカ３０２のアセンブリは、受動ラウドスピーカユニット内で使用されるような変圧器の代わりに、能動電子機器をエンクロージャ３１６の内側に有する。各エミッタユニット３０２への接続は、ＲＪ４５コネクタ等の迅速接続／接続解除コネクタおよびイーサネットケーブルを用いて行われることができる。イーサネットケーブルによってエンクロージャ３１６の中に搬送される電圧は、例えば、３６Ｖ  ＤＣであることができ、オーディオ信号は、ダイレクトフィールドサウンドマスキングのための受動ラウドスピーカとも併用され得る、既存のコントローラ１０４（図１参照）から生じることができる。電圧は、例えば、３６Ｖ  ＤＣであることができるが、４８Ｖ  ＤＣ等のより高いまたは別の値であることもできる。エミッタ３０２の内側には、効率的電圧調整器（以下の図７の７２０を参照）があり、入電電圧を５ボルトまで低減させる。本電圧は、Ｃｌａｓｓ  Ｄオーディオ電力増幅器（以下の図７の７２２を参照）に給電し、スピーカ３０２を直接駆動する。
【００３３】
本発明の実施形態によると、ラウドスピーカアセンブリ３０２は、サウンドマスキングスピーカおよび関連付けられた配線の正しい設置を提供するために要求される作業および尽力を最小限にするように設計される。各ラウドスピーカアセンブリ３０２は、ＣＡＴ−３、５、５Ａ、または６ワイヤ等の少なくとも４対の導体を伴う、容易に利用可能かつ安価な配線を使用して接続されることができる。一実施形態では、複数のラウドスピーカアセンブリ３０２が、複数導体Ａｍｅｒｉｃａｎ  Ｗｉｒｅ  Ｇａｇｅ（ＡＷＧ）ＮＯ．２４サイズ配線部品を介して相互接続される。組立を簡略化するために、配線部品は、ラウドスピーカ上の一体型入力および出力ジャック３３０に対応する、ＲＪ−４５またはＲＪ−１１コネクタ等の迅速接続／接続解除コネクタを伴って両端で終端する。これは、現場でのケーブル剥離のいずれの必要性も排除する。特に、迅速接続／接続解除コネクタは、ＴＩＡ／ＥＩＡ−ＩＳ−９６８−Ａ  Ｒｅｇｉｓｔｅｒｅｄ  Ｊａｃｋ４５（ＲＪ−４５）コネクタであることができる。複数導体配線部品は、図８Ａおよび図８Ｂに関連して以下にさらに議論されるように、少なくとも４対の導体を備えることができる
【００３４】
図３Ａ−３Ｃの実施形態では、ポート３１８開口部は、約０．３インチ〜約０．５インチの直径と、約１．５インチ〜約２．５インチの長さとを備えることができる。ラウドスピーカエンクロージャ３１６は、ラウドスピーカの開口面からラウドスピーカの背面まで少なくとも約３．５インチ、例えば、ラウドスピーカの開口面からラウドスピーカの背面まで少なくとも約４．０インチ、例えば、３．５インチ〜４．５インチ等のエンクロージャ長さを備えることができる。
【００３５】
本発明による実施形態は、ページングまたは音楽ラウドネスがカバー区域内で少なくとも８０ｄＢＡまで増加されるサウンドマスキングシステムを提供することができ、これは、以前の設計より少なくとも約１４ｄＢＡ高い。本設計は、スペクトルの低周波数端において、例えば、以前の類似システムより低い周波数である、１２５Ｈｚ１／３オクターブ帯域まで、周波数応答を拡張することができる。
【００３６】
図１の実施形態に戻ると、電力インジェクタ１１４アダプタボックスは、給電式エミッタ１０２をコントローラ１０４および電力供給部１０８に接続する。電力インジェクタ１１４ボックスは、例えば、ＲＪ４５コネクタ等の迅速接続／接続解除コネクタを有することができ、これは、オーディオ信号を信号ケーブル１１２を経由してコントローラゾーンから取り込み、それらを２つの出力コネクタ１２６に送信する。信号ケーブル１１２は、例えば、ＣＡＴ  ３  ＵＴＰケーブルであることができるが、他のタイプのケーブルも使用されることができることを理解されたい。電力インジェクタ１１４はまた、電力を電力ケーブル１１０を経由してデスクトップ電力供給部１０８から取り込み、この電力をその２つの出力コネクタ１２６に分配し、これは、組み合わせられた電力／オーディオ信号をケーブル１０６に接続する。電力ケーブル１１０は、例えば、１４／２ＡＷＧケーブルであることができ、組み合わせられた電力オーディオ信号ケーブル１０６は、例えば、ＣＡＴ  ３  ＵＴＰケーブルを使用することができるが、他のタイプのケーブルも使用されることができることを理解されたい。コントローラ１０４および電力供給部１０８は、便利な場合、搭載され得る小型のエンクロージャ内に格納されることができる。
【００３７】
本発明の実施形態によると、電気サウンド信号の１つまたは複数の源が、コントローラ１０４の一部として特徴付けられることができる。コントローラ１０４は、本明細書に教示される実施形態を構成するために必要な制御、自動化、通信、および他のコンピューティング機能を実装するために、マイクロプロセッサまたは他の好適な回路を含むことができることを理解されたい。
【００３８】
本発明の実施形態によると、サウンドマスキングスピーカシステム１００の低周波数応答が、改善され、それによって、例えば、ページングのために、放出される人間の発話の音響品質も改善する。低周波数性能（例えば、１２５Ｈｚ１／３オクターブ帯域まで）が、提供され、ページングおよび音楽のための所望の音レベルが、提供されると同時に、本システムは、わずかなコストのみ追加し、既存の構成要素と容易に統合される。
【００３９】
図４は、本発明の実施形態による、複数のゾーンを使用したサウンドマスキングシステムの概略図であり、いくつかのゾーン４３６は、受動ラウドスピーカアセンブリを含み、その他４３８は、自給式ラウドスピーカを使用する。ゾーン４３６内のラウドスピーカアセンブリは、従来のダイレクトフィールドサウンドマスキングラウドスピーカであり、これは、本発明の実施形態による自給式ラウドスピーカにおけるように、電力増幅を提供するための能動電子機器をそのラウドスピーカエンクロージャ内に含まない。ゾーン４３６内のラウドスピーカは、例えば、従来の変圧器を含むことができる。本発明の実施形態によると、コントローラ４０４は、２つの異なるタイプの信号を出力することができ、一方のタイプは、受動サウンドマスキングラウドスピーカを制御するためのものであり、他方のタイプは、自給式サウンドマスキングラウドスピーカを制御するためのものである。例えば、自給式ラウドスピーカのための信号は、本明細書に教示されるラウドスピーカ設計に起因して、受動ラウドスピーカのものより低い周波数スペクトルを有することができ、信号電圧は、自給式ラウドスピーカがそれ自身の増幅を実施するため、低くあることができる。コントローラ４０４によって使用される設定（自給式ラウドスピーカのためであるかまたは受動ラウドスピーカのためであるかにかかわらず）は、本発明の実施形態によると、ゾーン毎にトグルされることができる。
【００４０】
図５は、本発明の実施形態による、自給式ラウドスピーカと併用され得る、サウンドマスキングスペクトル５５０を示す略図である。別の標準曲線も、比較のために示される。音響サウンドマスキング信号に関して、本発明の実施形態による、サウンドマスキングシステムは、Ｌ．Ｌ．  Ｂｅｒａｎｅｋ「Ｓｏｕｎｄ  ａｎｄ  Ｖｉｂｒａｔｉｏｎ  Ｃｏｎｔｒｏｌ」、ＭｃＧｒａｗ−Ｈｉｌｌ（１９７１年５９３ページ）（本参考文献の教示は、参照によってその全体が援用される）に説明されるスペクトルの原理に基づいて、サウンドマスキングスペクトルを使用してもよい。選択されたスペクトルの低端周波数は、５０Ｈｚ、８０Ｈｚ、１００Ｈｚ、および１２５Ｈｚのうちの少なくとも１つを含むことができる。高端周波数は、８ｋＨｚ、７ｋＨｚ、６ＫＨｚ、または約５３００Ｈｚ未満、またはそれ未満であることができる。他のサウンドマスキングスペクトルも使用されてもよいことを理解されたい。特に、本発明の実施形態による自給式ラウドスピーカを使用して、サウンドマスキングスペクトル５５０は、サウンドマスキングスペクトルの１２５Ｈｚ１／３オクターブ帯域内の少なくとも約４０ｄＢ、例えば、サウンドマスキングスペクトルの１２５Ｈｚ１／３オクターブ帯域内の少なくとも約４５ｄＢの周波数応答を含むことができる。加えて、サウンドマスキングスペクトル５５０は、サウンドマスキングスペクトルの約４０００Ｈｚ〜約５０００Ｈｚの範囲内で約２０ｄＢ下回る周波数応答を含むことができる。
【００４１】
図６は、本発明の実施形態による、サウンドマスキングシステム内のラウドスピーカアセンブリ６０２の概略図である。ラウドスピーカアセンブリ６０２は、実質的に気密のケース６７０と、入力接続部６７２と、入力ネットワーク６７３と、円錐エミッタであり得るオーディオエミッタ６７６に結合されるボイスコイル６７４とを含む。オーディオエミッタ６７６は、音響サウンドマスキング信号を放出するように動作する。円錐ラウドスピーカアセンブリ６０２は、低指向係数ラウドスピーカを備えてもよい。一実施形態では、サウンドマスキングシステム内のラウドスピーカアセンブリは全て、低指向係数ラウドスピーカであってもよい。図６に戻ると、ラウドスピーカアセンブリ６０２は、３．０インチの直径を有する円形の面積未満またはそれと等しい、または１．５インチの直径を有する円形の面積未満またはそれと等しい、または１．２５インチ〜３インチの直径を有する円形の面積と等しい、有効開口面積を有する円錐エミッタ６７６を有することができ、Ｈｏｒｒａｌｌ  ｅｔ  ａｌ．の米国特許第７，１９４，０９４Ｂ２号（本特許の教示は、参照によってその全体が援用される）に教示されるタイプ等のダイレクトフィールド低指向係数円錐ラウドスピーカとして機能するために好適なタイプであってもよい。本明細書で使用される場合、「ダイレクトフィールドサウンドマスキングシステム」は、１つまたは複数のエミッタからの直接オーディオ経路内で伝搬する音響サウンドマスキング信号(単数または複数）が、サウンドマスキングゾーン内の反射および／または回折された音響サウンドマスキング信号より優勢であるものである。「直接オーディオ経路」は、音響マスキング信号が、物体または表面によって反射も回折もされず、マスキング区域またはゾーン内の音響的に吸収性の表面を通って伝送されない経路である。
【００４２】
図７は、本発明の実施形態による、自給式ラウドスピーカ内の入力ネットワーク６７３（図６参照）の電気構成要素の概略図である。電圧調整器７２０は、入力ケーブル６７２の電力部分７４０からの入電電圧を５ボルトまで低減させる。本電圧は、Ｃｌａｓｓ  Ｄオーディオ電力増幅器等のオーディオ電力増幅器７２２に給電し、ケーブル６７２の信号部分７４２を経由して受信された信号を使用して、スピーカ６７４（図６参照）を駆動する。
【００４３】
図８Ａは、以前のダイレクトフィールドサウンドマスキングシステム内で使用される複数導体ケーブル内の導体の概略図である一方、図８Ｂは、本発明の実施形態による、自給式ラウドスピーカと併用され得る、複数導体ケーブル内の導体の概略図である。図８Ａの複数導体ケーブルでは、４対のサウンド信号が、４対の「＋」および「−」記号によって示されるように、ケーブルを経由して伝送される。対照的に、４対の導体の図８Ｂの複数導体ケーブルでは、４つの電気サウンド信号導体８４４、２つの原始電力導体８４６、および２つの共通接地導体８４８が、存在する。図８Ｂの複数導体ケーブルは、例えば、電力インジェクタ１１４から受信された電力および信号の両方を搬送する、図１のケーブル１０６として使用されることができる。２つの原始電力導体８４６を使用することは、ケーブルを経由した電力損失を半分にする。電圧は、例えば、３６Ｖであることができるが、抵抗損失を最小限にするために、４８Ｖ等、より高くあることもできる。
【００４４】
図９は、本発明の実施形態に従って使用され得る、低指向係数ラウドスピーカを図示する概略図である。「低指向係数」を伴うラウドスピーカは、スピーカの軸方向９８８を参照すると、場所９９０において、軸方向から２０度、好ましくは、４５度、最も好ましくは、６０度の角度において、出力音強度９８２を提供するものであり、その出力音強度９８２は、任意の１／３オクターブ帯域内で測定される場合、６０００Ｈｚ未満の周波数の無限バッフル内の同一場所において無限小音源から同一角度における出力音強度９８４より、３ｄＢ以下かつ１ｄＢ以上だけ低い。故に、低指向係数ラウドスピーカは、ラウドスピーカアセンブリの軸方向から約１８０度、すなわち、±９０度延在する、実質的に均一な音響出力を提供する。
【００４５】
図１０Ａは、個々にアドレス指定されるネットワークコネクタ１００５がラウドスピーカアセンブリのエンクロージャ１０１６上に含まれる、本発明の別の実施形態による、自給式ラウドスピーカ１００１のエンクロージャの正面斜視図であり、図１０Ｂは、その背面斜視図である。個々にアドレス指定されるネットワークコネクタ１００５は、さらに以下に議論されるように、少なくとも１つのラウドスピーカアセンブリ１００１に個々にアドレス指定されるオーディオ信号を個々にアドレス指定されるサウンドマスキングネットワーク１２０９（図１２参照）から受信する。この個々にアドレス指定されるネットワークコネクタ１００５は、電力インジェクタおよび電力供給部を含む図１および図２のもの等のネットワーク１００に接続するためのコネクタ３３０（図３Ａ−３Ｃ参照）の様式で機能するコネクタ１０３０に加え、ラウドスピーカアセンブリ１００１上に存在することができる。このように、図１および図２のネットワーク１００の並列代替として、並列の付加的能力が、各ラウドスピーカアセンブリ１００１が、個々にアドレス指定されるサウンドマスキングネットワーク１２０９によって個々にアドレス指定されることを可能にするように追加される。したがって、ラウドスピーカアセンブリ１００１は、（ａ）個々にアドレス指定されるネットワークコネクタ１００５を通して、ラウドスピーカアセンブリに個々にアドレス指定されるオーディオ信号を個々にアドレス指定されるサウンドマスキングネットワーク１２０９（図１２参照）から受信するか、（ｂ）少なくとも１つの複数導体配線ケーブル１０６を介して、例えば、コネクタ１０３０を介して、電力インジェクタ１１４（図１参照）に電気的に結合されるかのいずれかであり、電力インジェクタは、（ｉ）電気サウンド信号の１つまたは複数の源を備える制御モジュール１０４と、（ｉｉ）電力供給部１０８とに電気的に接続される。個々にアドレス指定されるネットワークコネクタ１００５（図１０）への接続は、例えば、ＲＪ４５コネクタ等の迅速接続／接続解除コネクタ、または、例えば、１８−２標準スピーカケーブル等のスピーカケーブルに接続するために好適なコネクタを用いて行われることができる。
【００４６】
図１１は、個々にアドレス指定されるネットワークコネクタ１１０５を含む、本発明のある実施形態による、サウンドマスキングシステム内のラウドスピーカアセンブリ１１０２の概略図である。ここでは、個々にアドレス指定されるネットワークコネクタ１１０５は、個々にアドレス指定されるネットワークコネクタ１１０５からラウドスピーカアセンブリ１１０２のボイスコイル１１７４に直接接続する内部ラウドスピーカ接続１１２１にオーディオ信号ライン１１０７を接続するために使用されることができることが分かる。このように、ボイスコイル１１７４は、図１および図２のネットワーク１００等のネットワークから生じ得る、入力接続部１１７２からの信号を介する代わりに、個々にアドレス指定されるサウンドマスキングネットワークを介して、オーディオエミッタ１１７６を駆動するために使用されることができる。したがって、内部ラウドスピーカ接続１１２１は、オーディオ信号が、入力ネットワーク１１７３をバイパスすることを可能にする。しかしながら、入力ネットワーク１１７３は、図６および図７に関連して説明される方式において、図１および図２のネットワーク１００から入力接続部１１７２を経由して受信された信号のために使用される。ラウドスピーカアセンブリ１１０２は、図６の実施形態に関連して説明されるもの以外の構成要素および特徴を含むことができる。
【００４７】
図１２は、本発明の実施形態による、ネットワークアドレス指定可能ラウドスピーカを含む、個々にアドレス指定されるサウンドマスキングネットワーク１２０９の概略図である。本明細書で使用されるように、「個々にアドレス指定されるサウンドマスキングネットワーク」は、サウンドマスキングのみならず、ページングおよび音楽も実施するための能力を含むことができることを理解されたい。個々にアドレス指定されるサウンドマスキングネットワーク１２０９は、電力およびオーディオ信号の両方を伝導する、Ｐｏｗｅｒ  ｏｖｅｒ  Ｅｔｈｅｒｎｅｔケーブル等の複数導体配線ケーブル１２１１を含む。例えば、ケーブル１２１１は、ＣＡＴ５ケーブルを使用してもよい。個々にアドレス指定されるネットワークプロセッサ１２１３が、使用され、これは、サウンドマスキング信号、ページング信号、および音楽信号のうちの少なくとも１つを含む電子信号を放出するように構成される、プロセッサであり得る。プロセッサ１２１３は、ページングまたは音楽等の標準オーディオ信号をオーディオネットワーク１２０９の中に入力するために使用される。加えて、プロセッサ１２１３は、サウンドマスキング信号をそのオーディオ出力チャネルを通してブロードキャストするために使用される。プロセッサ１２１３は、例えば、アナログおよびネットワークオーディオ入力間のマトリクスミキサと、その内部サウンドマスキング発生器（マトリクスミキサの入力側）と、アナログおよびネットワーク出力（出力側）とを含むデジタル信号プロセッサを含むことができる。本プロセッサ１２１３は、順に、複数導体配線ケーブル１２１１を介して、Ｐｏｗｅｒ  ｏｖｅｒ  Ｅｔｈｅｒｎｅｔスイッチ等のネットワークスイッチ１２１７に接続される。標準ネットワークスイッチ１２２９はまた、個々にアドレス指定されるサウンドマスキングネットワーク１２０９内に存在することができる。ネットワークスイッチ１２１７は、順に、１つまたは複数の個々にアドレス指定されるネットワークラウドスピーカコントローラ１２１５に接続され、これは、個々のラウドスピーカアセンブリ１２０２を制御し、個々のラウドスピーカアセンブリ１２０２に接続される。ラウドスピーカコントローラ１２１５は、ケーブル１２１１（ＣＡＴ−５ケーブル等）を通して、電力およびネットワークオーディオを受信し、例えば、８つのオーディオチャネルを受信することができる。ラウドスピーカコントローラ１２１５は、フルデジタル信号処理を組み込み、そのオーディオチャネル（８つのオーディオチャネル等）の任意の混合を任意の個々のアドレス指定されるラウドスピーカまたはラウドスピーカ群にルーティングすることができる。加えて、各個々にアドレス指定されるラウドスピーカ１２０２は、各ラウドスピーカコントローラ１２１５の内側の内部サウンドマスキング発生器への個々のアクセスを有する。ラウドスピーカコントローラ１２１５は、例えば、ネットワークオーディオ入力間のマトリクスミキサと、その内部サウンドマスキング発生器（マトリクスミキサの入力側）と、ラウドスピーカ出力（出力側）とを含むデジタル信号プロセッサ含むことができる。個々にアドレス指定されるネットワークラウドスピーカ���ントローラ１２１５は、例えば、１８−２標準スピーカケーブル等のスピーカケーブル１２２７を使用して、ラウドスピーカアセンブリ１２０２に接続されることができる。個々にアドレス指定されるサウンドマスキングネットワーク１２０９はまた、システムのユーザが個々にアドレス指定されるサウンドマスキングネットワーク１２０９を制御することを可能にするソフトウェアを動作させる、タッチスクリーンコントローラ等のコントローラ１２１９を含むことができる。
【００４８】
図１３は、本発明の実施形態による、図１２の個々にアドレス指定されるサウンドマスキングネットワークを使用して、図１０−１２の１００１、１１０２、または１２０２等の個々のラウドスピーカアセンブリの個々のアドレス指定を図示する概略図である。概略は、サウンドマスキングが実施されるべき空間、例えば、オフィス空間の概略建築図面上にオーバーレイされた個々のラウドスピーカアセンブリのアドレス指定を示し、オフィス空間のうちの少なくともいくつかは、オープンプランのオフィス空間であってもよい。本明細書のシステムは、直接経路サウンドマスキング信号を建物の所定の区域内の聴取者の耳に提供するためのダイレクトフィールドサウンドマスキングシステムを提供し、該所定の区域は、天井および床、例えば、図１３のオフィス空間の所定の区域を含むことを理解されたい。ここでは、個々にアドレス指定されるサウンドマスキングネットワーク１２０９内の各個々にアドレス指定されるネットワークラウドスピーカコントローラ（図１２における１２１５参照）は、例えば、「１．１」等、個々にアドレス指定されるサウンドマスキングネットワーク１２０９内で一意のコントローラアドレス１３２３を割り当てられる（図１３参照）。順に、図１０−１２の１００１、１１０２、または１２０２等の各個々のラウドスピーカアセンブリは、コントローラアドレス１３２３に基づいて、個々にアドレス指定されるサウンドマスキングネットワーク１２０９内で一意のラウドスピーカアドレス１３２５を与えられる。例えば、図１３では、アドレス１３２３を伴うコントローラによって制御されるラウドスピーカは、「１．１．１」、「１．１．２」、「１．１．３」、「１．１．４」、「１．１．５」、および「１．１．６」等のラウドスピーカアドレス１３２５を割り当てられる。個々にアドレス指定されるサウンドマスキングネットワーク１２０９内のラウドスピーカを個々にアドレス指定する他のスキームが、使用されてもよいことを理解されたい。
【００４９】
このように、本発明による実施形態は、ラウドスピーカの個々のアドレス指定および制御の柔軟性と、低指向係数ダイレクトフィールドサウンドマスキングの利点を組み合わせる。ラウドスピーカの個々のアドレス指定を使用することによって、本発明による実施形態は、サウンドマスキングゾーン内で複数のラウドスピーカがともに制御される必要性を回避し、代わりに、最適サウンドマスキング柔軟性のために、その独自の一意の所望の方法において、システム内で各個々にアドレス指定されるラウドスピーカを制御する柔軟性を可能にする。
【００５０】
本明細書に引用された全ての特許、公開出願、および参考文献の教示は、参照によってその全体が援用される。
【００５１】
例示的実施形態が、特に、図示および説明されたが、形態および詳細における種々の変更が、添付の特許請求の範囲によって包含される実施形態の範囲から逸脱することなく、その中で行われてもよいことが当業者によって理解される。
【図１】
2019522825.tif 000003
【図２】
2019522825.tif 000004
【図３Ａ】
2019522825.tif 000005
【図３Ｂ】
2019522825.tif 000006
【図３Ｃ】
2019522825.tif 000007
【図４】
2019522825.tif 000008
【図５】
2019522825.tif 000009
【図６】
2019522825.tif 000010
【図７】
2019522825.tif 000011
【図８Ａ】
2019522825.tif 000012
【図８Ｂ】
2019522825.tif 000013
【図９】
2019522825.tif 000014
【図１０Ａ】
2019522825.tif 000015
【図１０Ｂ】
2019522825.tif 000016
【図１１】
2019522825.tif 000017
【図１２】
2019522825.tif 000018
【図１３】
2019522825.tif 000019
【国際調査報告】
2019522825.tif 000020
2019522825.tif 000021
2019522825.tif 000022